(57)【特許請求の範囲】
【請求項１】
メディアデバイスで対象番組を録画する方法であって、
予定外番組の発生に対応する、前記予定外番組の現行期間及び現在時刻を含む予定外番組フラグ（ＵＰＦ）を受信することと；
前記ＵＰＦの受信に応答して、対象番組に関連する予定録画終了時刻を更新録画終了時刻に調整することであって、前記予定録画終了時刻は、電子番組ガイド（ＥＰＧ）に明示され、前記更新録画終了時刻は、前記予定録画終了時刻に前記予定外番組の前記現行期間を追加したものに実質的に等しく、前記更新録画終了時刻は、前記予定録画終了時刻と前記現行期間に基づくもの
である、ということと；
前記更新録画終了時刻に基づいて前記対象番組を録画することを終了することと；
を含むことを特徴とする方法。
【請求項２】
前記受信したＵＰＦは第１のＵＰＦであり、前記予定外番組の開始時刻に前記対象番組を録画することが進行中であり、更に、
前記予定外番組の終了に対応する第２のＵＰＦを受信することであって、前記第２のＵＰＦは、前記予定外番組の更新現行期間と更新現在時刻とを含み、前記予定外番組の前記更新現行期間は、前記現在時刻における前記予定外番組の全期間に対応する、ということと；
前記メディアデバイスで、前記第１のＵＰＦ及び前記第２のＵＰＦに基づいて前記予定外番組の期間を画定することと；
前記予定外番組の期間を前記予定録画終了時刻に加えて、前記更新録画終了時刻が、前記予定終了時刻に前記予定外番組の前記期間を加えた時間と実質的に等しくなるようにすることと；
を含むことを特徴とする請求項１に記載の方法。
【請求項３】
前記受信したＵＰＦは第１のＵＰＦであり、前記予定外番組の開始時刻に前記対象番組を録画することが進行中であり、更に、
前記第１のＵＰＦを受信することに応答して、前記対象番組を停止することと；
前記予定外番組の終了に対応する第２のＵＰＦを受信することと；
前記第２のＵＰＦを受信することに応答して、前記対象番組を前記録画することを再開することと；
を含むことを特徴とする請求項１に記載の方法。
【請求項４】
前記受信したＵＰＦは第１のＵＰＦであり、前記対象番組を録画することは前記予定外番組の終了の後に始まるように予定され、
前記予定外番組の前記終了に対応する第２のＵＰＦを受信することであって、前記第２のＵＰＦは、前記予定外番組の更新現行期間と更新現在時刻とを含み、前記予定外番組の前記更新現行期間は、前記現在時刻における前記予定外番組の全期間に対応する、ということと；
前記第２のＵＰＦに基づいて前記予定外番組の前記全期間を画定することと；
前記予定外番組の前記全期間を前記ＥＰＧに明示された予定録画開始時刻に加えて、更新録画開始時刻が、前記予定録画開始時刻に前記予定外番組の期間を加えた時間と実質的に等しくなるようにすることと；
前記予定外番組の前記全期間を前記ＥＰＧに明示された前記予定録画終了時刻に加えて、前記更新録画終了時刻が、前記予定録画終了時刻に前記予定外番組の前記期間を加えた時間と実質的に等しくなるようにすることと；
を含むことを特徴とする請求項１に記載の方法。
【請求項５】
更に、
前記更新録画開始時刻に前記対象番組の録画を始めることと；
前記更新録画終了時刻に前記対象番組の録画を終了することと；
を含むことを特徴とする請求項４に記載の方法。
【請求項６】
更に、
前記予定外番組の前記現行期間を予定録画開始時刻に加えて、更新録画開始時刻が、予定開始時刻に前記予定外番組の期間を加えた時間と実質的に等しくなるようにすることと；
前記予定外番組の前記現行期間を前記予定録画終了時刻に加えて、前記更新録画終了時刻が、予定終了時刻に前記予定外番組の前記期間を加えた時間と実質的に等しくなるようにすることと；
を含むことを特徴とする請求項１に記載の方法。
【請求項７】
更に、
前記更新録画開始時刻に前記対象番組の録画を始めることと；
前記更新録画終了時刻に前記対象番組の録画を終了すること；
を含むことを特徴とする請求項６に記載の方法。
【請求項８】
前記受信したＵＰＦは第１のＵＰＦであり、前記予定外番組の開始時刻に前記対象番組を録画することが進行中であり、かつ、
前記第１のＵＰＦを受信することに応答して、前記対象番組の録画を第１のマーカでマークすることと；
前記予定外番組を録画することと；
前記予定外番組の終了に対応する第２のＵＰＦを受信することと；
前記第２のＵＰＦを受信することに応答して、前記対象番組の録画を再開することと；
前記対象番組の録画を再開する際に、前記対象番組の録画を第２のマーカでマークすることと；
を含むことを特徴とする請求項１に記載の方法。
【請求項９】
更に、
視聴者から命令を受信して、前記録画された対象番組を再生することと；
前記第１のマーカに基づいて前記対象番組の最初から前記対象番組の録画を停止するまで、前記対象番組の第１の部分を再生することと；
前記録画された対象外番組をスキップすることと；
前記第２のマーカに基づいて前記予定外番組の終了から前記対象番組の終了まで、前記対象番組の第２の部分を再生することと；
を含むことを特徴とする請求項８に記載の方法。
【請求項１０】
更に、
視聴者から命令を受信して、前記予定外番組を再生することと；
前記第１のマーカによって特定された開始に基づいて、前記第２のマーカによって特定された前記対象外番組の終了まで前記予定外番組を再生することと；
を含むことを特徴とする請求項８に記載の方法。
【請求項１１】
前記ＵＰＦを受信することは、
ビデオストリーム、オーディオストリーム、メタデータストリーム、及びクローズドキャプションストリームの少なくとも１つにおいて前記ＵＰＦを受信することを含むことを特徴とする請求項１に記載の方法。
【請求項１２】
メディアデバイスの番組録画システムであって、前記メディアデバイスは、
複数の他のメディアデバイスへ番組ストリームを放送しているメディア送信設備から前記番組ストリームを受信するように構成された番組コンテンツストリームインターフェースであって、前記番組ストリームは、少なくともその中の対象番組、予定外番組の発生に対応する第１の予定外番組フラグ（ＵＰＦ）、前記予定外番組、及び、前記予定外番組の終了に対応する第２のＵＰＦを含む、という番組コンテンツストリームインターフェースと；
前記対象番組を録画するリクエストを受信するように構成されたインターフェースと；
前記番組コンテンツストリームインターフェースに通信可能に結合され、前記対象番組に関連する予定録画開始時刻及び予定録画終了時刻に従って、少なくとも前記対象番組を録画するように構成された録画メディアであって、前記予定録画開始時刻及び前記予定録画終了時刻は電子番組ガイド（ＥＰＧ）に明示される、という録画メディアと；
前記番組コンテンツストリームインターフェース及び前記録画メディアに通信可能に結合され、後に受信される前記第１のＵＰＦ及び前記第２のＵＰＦの一つに基づいて前記予定外番組の期間を画定し、前記予定外番組の前記期間を前記ＥＰＧに明示されている前記予定録画終了時刻に追加することによる前記予定外番組の画定に応答して、前記対象番組に関連する前記予定録画終了時刻を更新録画終了時刻に調整するように構成されたプロセッサシステムであって、前記後に受信される前記第１のＵＰＦ及び前記第２のＵＰＦの一つは前記第１のＵＰＦ及び前記第２のＵＰＦの中の現在時刻に基づいて特定される、というプロセッサシステムと；を含み、
前記対象番組の前記録画は、前記更新録画終了時刻に基づいて終了されることを特徴とするメディアデバイスの番組録画システム。
【請求項１３】
前記受信されたＵＰＦは前記第１のＵＰＦであり、前記予定外番組の開始時刻に前記対象番組を録画することが進行中であり、前記プロセッサシステムは更に、
前記番組コンテンツストリームインターフェースが前記第２のＵＰＦを受信することに応答して、前記第１のＵＰＦ及び前記第２のＵＰＦの中の前記現在時刻に基づく、前記予定外番組の前記期間の変化を画定するとともに；
前記予定外番組の前記期間の変化を前記予定録画終了時刻に加えて、前記更新録画終了時刻が、前記予定録画終了時刻に前記第１のＵＰＦの現行期間及び前記期間の変化を加えた時間と実質的に等しくなるように；
構成されていることを特徴とする請求項１２に記載の番組録画システム。
【請求項１４】
更に、
前記対象番組を、録画のためのリモート録画メディアに通信するように構成されたリモート録画メディアインターフェースを含むことを特徴とする請求項１２に記載の番組録画システム。
【請求項１５】
前記録画メディアは、デジタルビデオレコーダであることを特徴とする請求項１２に記載の番組録画システム。
【請求項１６】
メディア送信設備から対象番組を受信するリモートメディアデバイスにより前記対象番組の録画を制御する前記メディア送信設備での方法であって、
予定外番組の開始を画定することと；
前記予定外番組の終了を画定することと；
前記予定外番組の前記開始と前記終了とに基づいて前記予定外番組の全期間を画定することと；
前記予定外番組の発生に対応する、前記予定外番組の前記全期間と現在時刻とを含む予定外番組フラグ（ＵＰＦ）を生成することと；
前記ＵＰＦを、前記メディア送信設備から前記リモートメディアデバイス及び他のリモートメディアデバイスへ送信される番組ストリームに挿入することと；
前記予定外番組の前記終了の後に、前記ＵＰＦ及び前記対象番組と共に前記番組ストリームを前記リモートメディアデバイスに通信することと；
を含み、
前記受信されたＵＰＦに含まれる前記予定外番組の前記全期間に基づいて電子番組ガイド（ＥＰＧ）に示された前記対象番組の予定録画開始時刻が更新録画開始時刻に前記リモートメディアデバイスにより調整される、及び、前記受信されたＵＰＦに含まれる前記予定外番組の前記全期間及び前記現在時刻に基づいて前記ＥＰＧに示された前記対象番組の予定録画終了時刻が更新録画終了時刻に前記リモートメディアデバイスにより調整される、の少なくとも１つがなされ、前記更新録画開始時刻及び前記更新録画終了時刻の少なくとも１つに基づいて前記対象番組が前記リモートメディアデバイスにより録画されることを特徴とする方法。
【請求項１７】
更に、
周期的に前記予定外番組の前記全期間を含む前記ＵＰＦを生成することと、前記予定外番組の前記全期間を含む前記ＵＰＦを前記番組ストリームに挿入することと、前記予定外番組の前記全期間を含む前記ＵＰＦと通信することと、を含むことを特徴とする請求項１６に記載の方法。
【請求項１８】
前記ＵＰＦ及び複数の追加のＵＰＦは複数の第１のＵＰＦであり、更に、
前記予定外番組の完了に応答して第２のＵＰＦを生成することと、前記第２のＵＰＦを前記番組ストリームに挿入することと、前記複数の第２のＵＰＦを前記番組ストリームと通信することと、を含み、前記受信された第２のＵＰＦに基づいて、前記対象番組の前記予定録画終了時刻が前記更新録画終了時刻に調整されることを特徴とする請求項１７に記載の方法。
【請求項１９】
前記ＵＰＦ及び複数の追加のＵＰＦは複数の第１のＵＰＦであり、前記予定外番組は前記対象番組の予定された録画より前に発生し、更に、
前記予定外番組の完了に応答して複数の第２のＵＰＦを生成することと、前記複数の第２のＵＰＦを前記番組ストリームに挿入することと、前記複数の第２のＵＰＦを前記番組ストリームと通信することと、を含み、前記複数の第２のＵＰＦは、前記予定外番組の期間を含み、前記対象番組の前記予定録画開始時刻は、前記受信した期間に基づいて前記更新録画開始時刻に調整され、かつ、前記対象番組の前記予定録画終了時刻は、前記受信した期間に基づいて前記更新録画終了時刻に調整されることを特徴とする請求項１７に記載の方法。
【請求項２０】
更に、
前記予定外番組の前記開始に関しローカル番組プロバイダから受信した番組編成をモニタし、
前記予定外番組の前記終了に関しローカル番組プロバイダから受信した番組編成をモニタすることを含むことを特徴とする請求項１６に記載の方法。
【発明の詳細な説明】
【技術分野】
【０００１】
（記載無し）
【背景技術】
【０００２】
メディアデバイスは、メディアプロバイダから番組編成を受信し、視聴者の対象番組の選択に基づいて、選択された対象番組を視聴者に表示するディスプレイに、選択された対象番組を流す。代表的なメディアデバイスは、ケーブルシステムメディアプロバイダ又は衛星システムメディアプロバイダから番組編成を受信するセットトップボックス（ＳＴＢ）である。メディアデバイスは、独自のディスプレイを備えてもよく、又は、テレビジョン（ＴＶ）等の外部ディスプレイに接続されてもよい。ゆえに、視聴者は、ＳＴＢに適当な命令を入力することによって対象映画を選択してもよい。その後、映画は、視聴者のＴＶに表示される。
【０００３】
いくつかのメディアデバイスは、録画機能を含む。例えば、ＳＴＢは、視聴者の命令に基づいて、選択された対象番組がＳＴＢで利用可能であるとき選択された対象番組を録画する内蔵デジタルビデオレコーダ（ＤＶＲ）を含んでもよい。録画は、視聴者が対象番組をＴＶで同時に視聴している間に起こってもよく、又は、視聴者が離れている間に、又は、視聴者が異なる番組を観賞している間に、選択された対象番組を独立に録画してもよい。他のメディアデバイスは、他のメモリメディアに接続され、かつ、視聴者の命令に従って選択された対象番組を録画してもよい。このような他の録画可能メディアは、デジタルビデオディスク（ＤＶＤ）、ビデオカセットレコーダ（ＶＣＲ）、及び、他の適当な外部メモリメディアを含む。すなわち、メディア録画デバイスは、メディアデバイスの外部にある。
【０００４】
対象番組の録画は通常、対象番組の予定開始時刻及び予定終了時刻に基づいている。ゆえに、メディアデバイスは、実時刻を対象番組の予定開始時刻でモニタする。予定開始時刻に達すると、メディアデバイスは、利用可能な番組編成から対象番組を選択し、録画を始める。例えば、ＳＴＢはまず、対象番組を提供しているチャネルを受信するように合わせてもよい。その後、ＳＴＢは、対象番組の録画を開始する。しかしながら、この処理は、対象番組が、利用可能な番組予定情報に基づいたチャネルに実際に表示されることを仮定する。録画は、予定終了時刻に達すると終了する。
【０００５】
しかしながら、メディアデバイスは、対象番組全体を録画しない態様が多くある。例えば、対象番組は、１つ又は複数の超過時間のために、予定終了時刻に終了しないスポーツイベントであってもよい。ここで、メディアデバイスは、予定終了時刻にスポーツイベントの録画を終了すると、それによって超過時間分の録画に失敗する。いくつかのメディアデバイスは、いくつかの予め画定された時間量によって、予定終了時刻を超えて録画を延長することによってこのような出来事を処理するように試みる。しかしながら、スポーツイベント全部が録画されるような録画に十分な時間延長がなされる保証は無い。更に、スポーツイベントが早く終了するか、又は、予定終了時刻に終了する場合、録画メディアのメモリ容量は、延長時間録画を記憶するために不要な利用の無駄が生じる。
【０００６】
他の例示として、対象番組が、緊急番組又は前もって予定されていなかった優先度の高い番組等の予定外番組によって割り込まれる場合がある。例えば、政府官僚は、国民全体に対して重要な演説又は同様なことをする場合がある。そのため、現行番組は、政府官僚演説がメディアデバイスに送られるように１つ又は複数のチャネルに割り込まれ得る。他の例示として、国民全体の非常時又はニュースイベントが起こる場合がある。メディアプロバイダは、国民全体の非常時又はニュースイベントに関係するニュース放送又は同様な番組を表示するために現行番組に割り込んでもよい。
【０００７】
いくつかの態様において、割り込まれた対象番組又はその一部は、キャンセルされてもよい。従って、後に続く予定番組編成は、影響を受けない。すなわち、予定開始時刻及び予定終了時刻は、有効なままである。
【０００８】
しかしながら、いくつかの態様において、対象の現行番組の表示は、予定外番組の時間によって遅延される。すなわち、割り込まれた現行番組の表示が遅延される場合、実際の終了時刻は、予定終了時刻後に起こる。メディアデバイスは、割込みがあることと、対象の現行番組の実際の終了時刻が予定終了時刻後に起こることを知り得ないので、メディアデバイスは、録画終了時刻が対象番組の本来の予定終了時刻まで存在するわけではないため、対象番組の最後を録画できなくなる。
【０００９】
更に、割込みが現行番組編成を遅延させる場合、後に続く全てのそのチャネル上の予定番組編成が影響を受ける。すなわち、後に続く全ての番組編成は（少なくとも、いくつかの選択された調整時間を通じた上で）、割込み時間による予定開始及び予定終了時間のそれぞれの変化を持つ。例示として、予定外番組が午後６時から午後６時２０分まで生じる場合、そのチャネルで当初は午後８時から開始するように予定されるとともに、当初は午後１０時に終了するように予定された対象番組は、予定外番組の割込みのために、実際には午後８時２０分から開始するとともに、午後１０時２０分に終了する。従って、視聴者が、そのチャネルの対象番組を（午後８時から午後１０時まで通して）録画するようにメディアデバイスを予め設定していた場合、対象番組の最後の２０分は録画されていない。
【００１０】
従って、予定外番組終了時間延長、予定外番組割込み、及び予定外番組遅延に合わせて番組録画を調整する必要がある。
【発明の概要】
【００１１】
番組録画システム及び方法は、対象番組の予定録画時間を変化させる割込み番組の発生に応答して、対象番組の録画時間を調整するように動作可能であることが開示される。代表的な実施形態は、予定外番組の発生に対応する予定外番組フラグ（ＵＰＦ）を受信し；ＵＰＦの受信に応答して、対象番組に関連する予定録画開始時刻を更新録画開始時刻に調整することと、対象番組に関連付けられている予定録画終了時刻を更新録画終了時刻に調整することとの少なくとも１つを行い；かつ、更新録画開始時刻及び更新録画終了時刻の少なくとも１つに基づいて対象番組を録画する。
【００１２】
更なる態様によれば、代表的な実施形態では、少なくともその中の対象番組及び少なくとも予定外番組の発生に対応する予定外番組フラグ（ＵＰＦ）を有する番組ストリームを受信するように構成された番組コンテンツストリームインターフェースと；前記対象番組を録画するための要求を受信するように構成されたインターフェースと；前記番組コンテンツストリームインターフェースに通信可能に結合され、少なくとも前記対象番組を受信するように構成された録画メディアと；前記番組コンテンツストリームインターフェース及び前記録画メディアに通信可能に結合され、前記ＵＰＦを受信することに応答して、前記対象番組に関連する予定録画開始時刻及び前記対象番組に関連する予定録画終了時刻の少なくとも１つを更新録画終了時刻に調整するように構成されたプロセッサシステムと、を具備する。対象番組は、更新録画開始時刻及び更新録画終了時刻の少なくとも１つに基づいて録画される。
【図面の簡単な説明】
【００１３】
【図１】図１は、録画予定コントロールシステムの実施形態を示すブロック図である。
【図２】図２は、メディアデバイス内の録画予定コントロールシステムの実施形態を示すブロック図である。
【図３】図３は、録画予定コントロールシステムによって画定された予定録画開始時刻及び予定録画終了時刻を示すストリーミング方式の対象番組の概念図である。
【図４】図４は、予定外番組によって割込まれるとともに、録画予定コントロールシステムによって画定された更新録画終了時刻を示すストリーミング方式の対象番組の概念図である。
【図５】図５は、予定外番組によって割り込まれるとともに、予定外の録画保持時間、更新録画開始時刻、及び更新録画終了時刻を示すストリーミング方式の対象番組の概念図である。
【図６】図６は、前の予定外番組によって割り込まれるとともに、更新録画開始時刻、及び更新録画終了時刻を示すストリーミング方式の対象番組の概念図である。
【図７】図７は、番組録画予定システムの実施形態によって受信された番組ストリームを概念的に説明するための図である。
【発明を実施するための形態】
【００１４】
最良かつ代替可能な実施形態について、上記の図面を参照して以下に詳細に記載する。
【００１５】
図１は、代表的番組録画（記録）予定システム１００の実施形態を示すブロック図である。番組録画予定システム１００は、対象番組の予定録画時刻を変更する割込み番組の発生に応答して、予め画定された対象番組の録画予定を調整するように動作可能である。
【００１６】
概要では、複数の番組が、複数のローカル番組編成プロバイダ１０２（ＬＰＰ１０２ａ〜１０２ｚ）によって提供される。番組Ｐａ〜Ｐｚは、メディアプロバイダによって動作されたメディア送信設備１０４に通信される。番組Ｐａ〜Ｐｚは、顧客の家屋１１０における視聴者のメディアデバイス１０８に通信されるトランスポートチャネル１０６に束ねられる。
【００１７】
代表的メディアプロバイダは、複数の衛星１１２を介して顧客に番組編成を提供する。トランスポートチャネル１０６は、対応する送信アンテナ１１４を通して各衛星１１２にアップリンクされる。その後、それぞれのトランスポートチャネル１０６は、衛星１１２から、顧客の家屋１１０における受信機アンテナ１１６のほうに通信される。例えば、トランスポートチャネル１０６ｂに束ねられる番組Ｐａ〜Ｐｚから選択された番組は、送信アンテナ１１４ｂから衛星１１２ｂにアップリンクされ、その後、衛星１１２ｂから受信機アンテナ１１６に通信される。その後、トランスポートチャネル１０６ｂは、メディアデバイス１０８によって受信される。受信機アンテナ１１６は、複数のトランスポートチャネル１０６を受信するように構成され得る。
【００１８】
他のメディアプロバイダは、他の形式の通信システムを介して顧客に番組編成を提供してもよい。例えば、いくつかのメディアプロバイダは、顧客に番組編成を提供するために、ケーブルネットワーク又はインターネットを用いてもよい。録画予定コントロールシステム１００の実施形態は、任意の適当な形式の通信システムにわたって動作するように構成されてもよい。
【００１９】
対象番組Ｐｉは、適当な命令をメディアデバイス１０８に提供する視聴者によって選択されてもよい。対象番組Ｐｉは、受信されたトランスポートチャネル１０６内の特定の「チャネル」によって識別される。メディアデバイス１０８は、対象番組Ｐｉが利用可能な特定のチャネルに合わせて調整し、その後、選択された対象番組Ｐｉをトランスポートチャネル１０６から取り出す。その後、対象番組Ｐｉは、ディスプレイ１１８に表示される。例えば、限定されるものではないが、メディアデバイス１０８は、テレビジョン（ＴＶ）、パーソナルコンピューター（ＰＣ）、又は類似のもの等の適当なメディアプレゼンテーションデバイス１２０に結合されるセットトップボックス（ＳＴＢ）であってもよい。あるいは、ディスプレイ１１８は、メディアデバイス１０８の構成部分であってもよい。
【００２０】
いくつかの態様において、対象番組Ｐｉは、適当な番組録画命令をメディアデバイス１０８に提供する視聴者によって録画のために選択されてもよい。対象番組Ｐｉが、トランスポートチャネル１０６において利用可能になるとき、対象番組Ｐｉは、適当なメモリメディア１２２に記憶される（録画される）。
【００２１】
いくつかの態様において、対象番組Ｐｉの録画が直ちに開始するように、対象番組Ｐｉはこのときトランスポートチャネル１０６において、現在利用可能であってもよい。対象番組Ｐｉの録画は、予定録画終了時刻が来るとともに終了する。
【００２２】
他の態様において、対象番組Ｐｉは、未来時にトランスポート１０６から利用可能であってもよい。従って、メディアデバイス１０８は、対象番組Ｐｉの予定録画開始時刻及び予定終了時刻を画定する。対象番組Ｐｉの録画は、予定録画開始時刻が来るときに開始し、予定録画終了時刻が来るときに終了する。
【００２３】
しかしながら、いくつかの態様において予定外番組は、このときトランスポートチャネル１０６において利用可能である対象番組Ｐｉを割り込んでもよい。従って、現行の対象番組Ｐｉの終了は、遅延してもよい。他の態様において、予定外番組は、対象番組の未来の予定を遅延させてもよい。すなわち、予定外番組は、未来の録画のために予定されていた対象番組Ｐｉに先行する。従って、対象番組Ｐｉの当初の予定録画開始時刻及び予定録画終了時刻が録画のために用いられる場合、対象番組Ｐｉの一部（又は、事によると、対象番組Ｐｉ全体）は、録画されない。
【００２４】
例示として、予定外番組は、メディアプロバイダによって提供されてもよい。予定外番組例は、限定されるものではないが、政治家の演説、又は、このとき関心のあるイベントを取り扱うニュース番組を含む。予定外番組は、このとき録画される（及び／又は、視聴者に表示される）対象番組Ｐｉに割り込む。予定外番組は、対象番組Ｐｉの予定録画開始時刻及び／又は予定録画終了時刻に割り込む。すなわち、対象番組Ｐｉの予定録画開始時刻及び／又は予定録画終了時刻は変更される。
【００２５】
実施形態は、１つ又は複数の方式で対象番組Ｐｉの完全な録画を確実にする。代表的実施形態は、予定外番組を録画し、かつ、予定録画終了時刻に予定外番組時間を加算することによって、実際の録画終了時刻が対象番組Ｐｉの実際の終了時刻と実質的に同時に起こるように調整する。他の実施形態は、予定外番組が録画されないように、録画を停止し、その後、予定外番組が終結した上で対象番組Ｐｉの録画を再開始する。他の実施形態は、対象番組Ｐｉ全体に沿って予定外番組を録画し、更に、視聴者が予定外番組を視聴するように任意に選択し得るか、又は、予定外番組をスキップするように選択し得るように、予定外番組の開始及び終了を示す適当なマーカを挿入する。更に他の実施形態では、対象番組Ｐｉの放映中に、予定外番組の表示が省略され、予定外番組は後で視聴するために別々に利用可能である。
【００２６】
予定外番組が、未来に予定された対象番組Ｐｉに先行して、トランスポートチャネル１０６に挿入される場合、トランスポートチャネル１０６内の対象番組Ｐｉの可用性は、（予定外番組の実質的な時間によって）遅延されてもよい。録画予定コントロールシステム１００の実施形態は、予定外番組によって引き起こされた遅延を示す情報を受信し、それに応じて、遅延された対象番組Ｐｉの新たな実際の開始時刻及び終了時刻と実質的に同時に起こるように、予定録画開始時刻及び終了時刻を調整する。従って、対象番組Ｐｉは、トランスポートチャネル１０６において利用可能になるときに録画される。
【００２７】
更に他の態様において、対象番組Ｐｉは想定よりも長く継続してもよく、それによって、対象番組Ｐｉの終了は遅延し得る。スポーツイベントは、当初の予定番組終了時刻を超えて進む遅延した終了を有する番組の非限定的な例示であり得る。スポーツイベントは、スポーツイベントの勝者を決定するために、１つ又は複数の予定外の表示時間超過を有してもよい。予定録画終了時刻が、スポーツイベントの予定番組終了時刻に基づく場合、スポーツイベントの終了は、録画されない。録画予定コントロールシステム１００の実施形態は、番組終了時刻の延長を示す情報を受信し、それに応じて、スポーツイベントの実際の終了時刻と実質的に同時に起こるように実際の録画終了時刻を調整する。ゆえに、スポーツイベント全体は、後で視聴するために録画される。
【００２８】
録画予定コントロールシステム１００の代表的実施形態は、メディア送信設備１０４において、番組編成ストリーム受信システム１２４、トランスポートチャネル生成システム１２６、及び、予定外番組フラグジェネレータ１２８を含む。番組編成ストリーム受信システム１２４は、複数のローカル番組プロバイダ１０２から、代表的ストリーミング方式で複数の番組を受信する任意の適当なシステムである。番組編成ストリーム受信システム１２４は、図１において説明したように、メディア送信設備１０４内に存在してもよく、又は、番組編成ストリーム受信システム１２４の部分が、メディア送信設備１０４の外部にあってもよい。いくつかの番組編成ストリーム受信システム１２４は、非常に大きな地理的領域にわたって分布されてもよく、及び／又は、番組を受信する多様な通信メディアを用いてもよい。
【００２９】
番組編成ストリーム受信システム１２４は、トランスポートチャネル生成システム１２６との通信に適当な様式で受信された複数の番組を用意する。トランスポートチャネル生成システム１２６は、選択的バイアス上に受信された番組を束ねるとともに、１つ又は複数のトランスポートチャネル１０６を生成する。いくつかの実施形態において、番組編成ストリーム受信システム１２４及びトランスポートチャネル生成システム１２６は、番組編成を管理するより大きなシステムに統合される。
【００３０】
映画、テレビ番組、ニュース放送、又は類似の表示等のビデオ番組は、番組構成部分が視聴者への表示のためにメディアデバイス１０８によって編集され得るように、一般に、トランスポートチャネル１０６に同時に多重送信される多様な構成部分を含む。番組構成部分の実施例は、ビデオ部分（視聴者にビデオとして現れるように連続的に表示される連続画像）、（音が、表示されるビデオとシーケンスされたオーディオ情報と通信するように提供された）オーディオ部分、及び／又は、（テキストが、オーディオ部分に対応する）クローズドキャプションストリームを含む。いくつかのシステムは、番組に関連した補足情報を提供するメタデータ部分を含んでもよい。しばしば、番組構成部分は、トランスポートチャネル１０６に複数の番組を多重送信することを容易にするために、デジタル化されて、パケットストリームにパケット化される。パケットストリームは、メタデータを含んでもよく、又は、番組に関係する追加の補足情報を含んでもよい。
【００３１】
予定外番組フラグジェネレータ１２８は、予定外番組の存在に応答して、予定外番組フラグ（ＵＰＦ）を生成する。ＵＰＦは、対象番組Ｐｉが、受信されたトランスポートチャネル１０６において利用可能になるときに録画されるように、メディアデバイス１０８が録画開始及び／又は終了を調整することを可能にする情報を提供する。
【００３２】
ＵＰＦは、トランスポートチャネル１０６内に挿入されるか、又はそうでなければ、トランスポートチャネル１０６と通信するように、追加される。ＵＰＦは、トランスポートチャネル１０６において別々に通信されてもよく、又は、トランスポートチャネル１０６内にある現行番組の一部として通信されてもよい。例えば、一実施形態は、予定外番組によって割り込まれる番組のクローズドキャプションストリームにＵＰＦを埋め込む。代わりに、又は追加的に、ＵＰＦは、番組の、ビデオ部分、オーディオ部分、及び／又はメタデータ部分に埋め込まれてもよい。
【００３３】
予定外番組が、単一のローカル番組プロバイダ１０２、複数の選択された番組プロバイダ１０２、又は、全ての番組プロバイダ１０２によって提供された現行番組を割り込んでもよいことが認識される。更に、ここで用いたように、現行番組の予定外の延長は、予定外番組として画定される。
【００３４】
一度、予定外番組が始まると、ＵＰＦは、トランスポートチャネル１０６において周期的に通信される。代表的実施形態において、連続的に通信されたＵＰＦ間の周期は、予め画定されるが、かかる周期は比較的短いことが好ましい。予定外番組が現行番組を割り込んでいる限り、対象番組Ｐｉが、受信されたトランスポートチャネル１０６において利用可能になるときに録画されるように、ＵＰＦは、メディアデバイス１０８が録画開始時刻及び／又は終了時刻を調整することを可能にするのに十分な情報を含む。例えば、ＵＰＦの一実施形態は、予定外番組の開始時刻及び予定外番組の現行期間情報を含む。予定外番組が終わったとき、ＵＰＦは、予定外番組の開始時刻及び終了時刻を含んでもよく、又は、予定外番組の開始時刻及び合計期間を含んでもよく、又は、予定外番組の合計期間を含んでもよい。
【００３５】
いくつかの実施形態において、予定外番組フラグジェネレータ１２８は、メディア送信設備１０４から遠隔的に存在する。ＵＰＦは、予定外番組を放送しているチャネルに関連した番組編成のストリームに関連付けられるか、又は、結合される。予定外番組が複数のローカル番組編成プロバイダ１０２によって放送される場合、ＵＰＦは、それらの特定のローカル番組編成プロバイダ１０２によって提供されたチャネルに関連付けられたそれぞれの番組編成ストリームに関連付けられるか、又は、結合される。ゆえに、ＵＰＦの番組編成ストリームへの挿入は、ローカル番組編成プロバイダの設備においてローカルにコントロールされる。更に、又は代わりに、ＵＰＦは、予定外番組のソースに挿入されることができるか、又は、メディア送信設備１０４への通信パスに沿った他の適当なポイントに挿入されてもよい。
【００３６】
代わりに、又は更に、ＵＰＦは、予定外番組を放送している特定のチャネルを識別する別々な情報のストリームとして、トランスポートチャネル１０６において通信される。ゆえに、予定外番組だけが限定数の番組チャネルに影響を与える場合、影響されたチャネルの識別はＵＰＦに含まれることができる。多くのチャネルが影響される場合、このような実施形態は、個々の番組に個々に挿入されるべき多くのＵＰＦとは対照的に、ＵＰＦによって影響されながら、多くのチャネル又は全チャネルを識別することができる利点を提供する。
【００３７】
予定外番組の存在は、検出されてもよく、決定されてもよく、又は、多様な方法で知られてもよい。代表的実施形態において、予定外番組フラグジェネレータ１２８は、ローカル番組編成プロバイダ１０２によって提供されている番組をモニタする。番組編成予定は予め画定されるので、予定番組編成から提供された番組編成における偏りは、予定外番組の放送を示す。このような実施形態は、受信された番組編成ストリームに提供されたメタデータをモニタする。メタデータは、現行の受信された番組を識別する番組名又は類似のもの等の適当な識別子を含んでもよい。
【００３８】
このような実施形態において、番組編成予定情報は、予定外番組フラグジェネレータ１２８によってアクセス可能であるメディア送信設備１０４において適当なメディア（図示せず）に記憶されてもよい。例えば、電子番組ガイド（ＥＰＧ）又は類似のものが生成され、視聴者に表示されるように、番組編成予定は、メディアデバイス１０８に周期的に通信される情報であってもよい。ゆえに、現在利用可能な番組の題名は、予定外番組の題名と比較されることができる。題名が異なるようになる場合、番組録画予定システム１００は、予定外番組の発生を検出する。
【００３９】
更に、又は代わりに、オペレータインターフェース１３０又は類似のものは、予定外番組フラグジェネレータ１２８に統合されるか、又は結合される。番組編成をモニタしているオペレータは、予定外番組フラグのシリーズ（ＵＰＦｓ）を生成する処理を手動で開始してもよい。予定外番組フラグ（ＵＰＦ）は、その後、トランスポートチャネル１０６の適当な部分に挿入される。予定外番組が完了した上で、その後、オペレータは予定外番組の終了を示し得る。
【００４０】
更に、又は代わりに、ローカルな予定外番組のインディケータ１３２又は類似のものは、ＬＰＰ１０２において利用可能であってもよい。ローカルな予定外番組のインディケータ１３２は、ＵＰＦの生成を開始するように、予定外番組フラグジェネレータ１２８に情報を通信してもよい。いくつかの実施形態において、予定外番組のインディケータ１３２は、ＵＰＦを生成するとともに、番組編成ストリーム受信システム１２４に通信される番組ストリームにそれらを置いてもよい。ゆえに、個々のＬＰＰ１０２は、独自の番組編成をモニタしてもよく、かつ、それらのステーションによる予定外番組の放送を示す情報を手動で又は自動的に生成してもよい。予定外番組が完了した上で、その後、ＬＰＰ１０２は、予定外番組の終了を示してもよい。
【００４１】
図２は、メディアデバイス１０８内の録画予定コントロールシステム１００の実施形態を示すブロック図である。メディアデバイス１０８の実施例は、限定されるものではないが、セットトップボックス（ＳＴＢ）を含む。録画予定コントロールシステム１００の実施形態は、限定されるものではないが、ステレオ、ラジオ、テレビジョン（ＴＶ）、デジタルビデオディスク（ＤＶＤ）プレーヤー、デジタルビデオレコーダ（ＤＶＲ）、又は、パーソナルコンピュータ（ＰＣ）等の他のメディアデバイスに実装されてもよい。
【００４２】
非限定的で代表的なメディアデバイス１０８は、番組コンテンツストリームインターフェース２０２、プロセッサシステム２０４、メモリ２０６、プログラムバッファ２０８、任意選択のデジタルビデオレコーダ（ＤＶＲ）２１０、表示デバイスインターフェース２１２、リモートインターフェース２１４、及び、任意選択のリモート録画メディアインターフェース２１６を備える。メモリ２０６は、録画スケジューリングロジック２１８と、現行の予定情報２２０と、任意選択的に、遅延予定情報２２２とを含む。他のメディアデバイスは、上記のメディア処理構成部分のいくつかを含んでもよく、又は、いくつかを省略してもよい。更に、ここに記載されない追加の構成部分が、代替的な実施形態に含まれてもよい。
【００４３】
ここではセットトップボックスであるメディアデバイス１０８の機能は、これから広く記載される。１つ又は複数のトランスポートチャネル２２４は、番組コンテンツストリームインターフェース２０２によって受信される。番組コンテンツストリームインターフェース２０２内の１つ又は複数のチューナー２０２ａは、プロセッサシステム２０４から受信された命令に従って、トランスポートチャネル２２４の１つに選択的に調整する。トランスポートチャネル２２４は、一般に、一緒に多重送信された複数の番組を含む。プロセッサシステム２０４は、視聴者によって特定された対象番組Ｐｉのリクエストに基づいて、対象番組Ｐｉに関連した番組コンテンツを構文解析する。番組コンテンツが、表示デバイスインターフェース２１２を介して、メディア表示デバイス１２０に流出され得るように、対象番組Ｐｉは、その後、プログラムバッファ２０８に保存され得るビデオ情報及び／又はオーディオ情報のストリームに編集される。代わりに、又は更に、構文解析された番組コンテンツは、後で表示されるためにＤＶＲ２１０に保存されてもよい。
【００４４】
いくつかの実施形態は、リモート録画メディアインターフェース２１６を介して、リモート録画メディア２２６に通信可能に結合される。ゆえに、対象番組Ｐｉは、リモート録画メディア２２６に通信されるとともに録画されてもよい。
【００４５】
視聴者（図示せず）は、録画のための対象番組Ｐｉを選択してもよい。すなわち、視聴者の命令に基づいて、メディアデバイス１０８は、その後、決定された視聴者のコマンドに従って、ＤＶＲ２１０及び／又はリモート録画メディア２２６等の様々なメディア構成部分及び／又はデバイスをコントロールできる。例えば、限定されるものではないが、メディアデバイス１０８は、任意選択のリモートコントロール２２８を介して、視聴者からコマンドを受信するように構成されてもよい。リモートコントロール２２８は、１つ又は複数のコントローラ２３０を含む。視聴者は、メディアデバイス１０８の動作をコントロールするために、１つ又は複数のコントローラ２３０を始動させることによって、リモートコントロール２２８に、命令を生成させるとともにワイヤレス信号２３２を介してリモートインターフェース２１４に送信させる。
【００４６】
例えば、視聴者は、現在又は未来のどちらかに視聴するために利用可能である現行番組予定を視聴したいと思う場合がある。視聴者は、リモートコントロール２２８を介して命令を生成し、番組予定の表示及び表示された電子番組ガイド（ＥＰＧ）を経由して示された番組情報をリクエストし得る。随時、メモリ２０６の現行予定情報２２０部分に集合する情報は、トランスポートチャネル２２４を介して、又は他の適当なメディアを介して、メディアデバイス１０８に通信され、かつ、メモリ２０６の現行予定情報２２０部分に保存される。情報は、限定されるものではないが、予定された表示の開始時刻及び／又は終了時刻、番組チャネル、及び、番組の記述的情報を含んでもよい。番組の記述的情報は、番組名、出演者又は俳優の氏名、制作日、及び、番組の性質を記述する要約を含んでもよい。任意の適当な情報は、番組の記述的情報に含まれてもよい。ＥＰＧの表示をリクエストする視聴者から命令を受信した上で、現行の予定情報２２０内の情報は、取り出され、フォーマットされ、その後、ＥＰＧとしてディスプレイ１１８上に表示される。
【００４７】
予定外の番組編成が、現在利用可能な番組に割り込むとき、トランスポートチャネル２２４内のＵＰＦは、メディアデバイス１０８によって受信される。録画スケジューリングロジック２１８は、代表的実施形態におけるプロセッサシステム２０４によって実行され、現行の予定情報に、現在進行中又は未来時に予定された任意の録画行為の存在をチェックする。
【００４８】
現在利用可能な対象番組Ｐｉの録画が進行中である場合に、録画は、予定外番組の発生によって割り込まれる。対象番組Ｐｉが、受信されたトランスポートチャネル２２４において利用可能になるとき録画されるように、録画予定コントロールシステム１００は、録画開始時刻及び／又は終了時刻を調整するように動作する。番組録画予定調整は、受信されたＵＰＦに従ってなされる。
【００４９】
様々な代表的な非限定的番組録画の概要が明示されて録画予定コントロールシステム１００の実施形態の代表的な動作を説明している。図３は、録画予定コントロールシステム１００によって画定された予定録画開始時刻３０４及び予定録画終了時刻３０６を示す割込みの無いストリーミング式対象番組３０２の概念図である。ここで、他に対象番組３０２に割り込む、及び／又は、遅延させる予定外の番組が発生しないこと、又は発生前であることが仮定される。
【００５０】
予定録画開始時刻３０４は、対象番組３０２が、メディアデバイス１０８によって受信されるか、又は、メディアデバイス１０８から利用可能である時刻に対応する。予定録画終了時刻３０６は、対象番組３０２が終了するように予定される時刻に対応する。ゆえに、録画は、対象番組３０２を提供して、録画のためにＤＶＲ２１０及び／又はリモート録画メディア２２６に対象番組３０２を通信するチャネルを受信するように、番組コンテンツストリームインターフェース２０２を合わせることによって、予定録画開始時刻３０４に開始される。対象番組３０２の録画は、予定録画終了時刻３０６において終了する。
【００５１】
図４は、予定外番組４０２によって割り込まれるストリーミング式対象番組３０２の概念図である。ここで、ストリーミング式対象番組３０２の録画は、予定録画開始時刻３０４に開始する。時刻４０４において、予定外番組４０２は、ストリーミング式対象番組３０２を開始するとともに割り込む。予定外番組４０２は、期間４０６の間継続し、時刻４０８で終了する（期間４０６は、予定外番組４０２の開始時刻４０４及び終了時刻４０８によって画定される）。予定外番組４０２の終了後、ストリーミング式対象番組３０２は、再開始する。すなわち、ストリーミング式対象番組３０２は、予定外番組４０２の発生によって遅延されている。番組録画予定システム１００の実施形態は、ストリーミング式対象番組３０２の録画が再開始するように、更新録画終了時刻４１０に、最初に予定された録画終了時刻３０６（図３）を調整する。
【００５２】
このようにして、ストリーミング式対象番組３０２は、対象番組の第１の部分３０２Ａ及び対象番組の第２の部分３０２Ｂによって画定される。対象番組の第１の部分３０２Ａは、ストリーミング式対象番組３０２の予定録画開始時刻３０４及び予定外番組４０２の開始時刻４０４によって画定される。対象番組の第２の部分３０２Ｂは、予定外番組４０２の終了時刻４０８及び更新録画終了時刻４１０によって画定される。
【００５３】
いくつかの態様において、予定外番組４０２は、録画されているストリーミング式対象番組３０２の継続である。例えば、ストリーミング式対象番組３０２は、スポーツイベントであってもよい。スポーツイベントが、例えばスポーツイベントの勝者を決定するために試合されなくてはならない１つ又は複数の時間超過期間中等で最初に予定された録画終了時刻３０６に終了しなかった場合、スポーツイベントの録画は継続すべきである。ストリーミング式対象番組３０２の延長試合を（予定外番組４０２の開始が、予定録画終了時刻３０６に対応する時間に開始する）予定外番組４０２として画定することによって、録画は割り込まれずに継続する。
【００５４】
予定外番組４０２の持続は、スポーツイベントの時間超過期間の持続に対応する。スポーツイベントの勝者が決定されると、スポーツイベントは終了する。スポーツイベントの終了は、ストリーミング式対象番組３０２の更新録画終了時刻４１０に対応する。こうして、番組録画予定システム１００の実施形態は、ストリーミング式対象番組３０２終了の実際の時刻に基づいて更新録画終了時刻４１０を決定し、その後、（更新録画終了時刻４１０に）録画を終了する。こうして、ストリーミング式対象番組３０２全体が録画される。
【００５５】
いくつかの実施形態において、予定外番組４０２も録画される。ゆえに、タイムマーカ又は類似のものは任意選択的に、時刻４０４に開始する予定外番組４０２の発生を識別するために、録画に挿入されてもよい。予定外番組４０２が完了した上で、時刻４０８において、他のマーカが任意選択的に録画に挿入されてもよい。視聴者は、録画されたストリーミング式対象番組３０２を再生していて予定外番組４０２に達するとき、予定外番組４０２の（開始マーカによって識別された）開始時刻４０４及び（終了マーカによって識別された）終了時刻４０８は、視聴の選択肢を視聴者に提供するために用いられてもよい。例えば、視聴者は、番組編成視聴において予定外番組４０２の終了に対応する時刻４０８に向かってジャンプするように選択してもよく、かつ、録画されたストリーミング式対象番組３０２の視聴を続けて（それによって、予定外番組４０２をスキップして）もよい。
【００５６】
他の実施形態において、視聴者に、録画されたストリーミング式対象番組３０２の放映が表示される前に、１つ又は複数の予定外番組４０２が録画中に生じたことを示す情報が視聴者に表示されてもよい。視聴者は、任意選択的に、予定外番組４０２を超えてスキップするように選択してもよい。他の態様において、視聴者は、録画された予定外番組４０２を視聴するために前方にスキップするように選択してもよい。（例えば、予定外番組４０２は、視聴者が視聴することに興味を持っている重要な関心事に関係するニュース放送であってもよい）。
【００５７】
いくつかの実施形態において、予定外番組４０２は、録画されなくてもよい。むしろ、ストリーミング式対象番組３０２の録画が停止して、その後、予定外番組４０２の終了の上で再開始する。図５は、予定外番組４０２によって割り込まれるストリーミング式対象番組３０２の概念図である。ここで、ストリーミング式対象番組３０２の録画は、予定録画開始時刻３０４に開始する。予定外番組４０２は、開始するとともに、ストリーミング式対象番組３０２に割り込む。番組録画処理は、録画停止時刻５０２に停止する。予定外番組４０２は、期間４０６の間継続して、その後、終了する。録画は、録画再開始時刻５０４に再開始する。従って、予定外番組４０２の終了後、ストリーミング式対象番組３０２の録画は、再開始するとともに、更新録画終了時刻４１０を通して継続する。
【００５８】
他の態様において、予定外番組４０２は、ストリーミング式対象番組３０２の最初に予定された録画時刻に先立って開始するとともに終了する。図６は、前の予定外番組４０２によって遅延されたストリーミング式対象番組３０２の概念図であり、録画予定コントロールシステム１００によって画定された、更新録画開始時刻６０２及び更新録画終了時刻６０４を示す。
【００５９】
ここで、予定外番組４０２の後に予定される全ての後続番組は、少なくとも予定外番組４０２の期間４０６によって遅延される。例えば、政治家要人が、国中の番組編成に割り込む演説（予定外番組４０２）を行い得る。従って、全ての後続番組は、政治家の演説の期間（予定外番組の期間４０６）遅延され得る。
【００６０】
例えば、政治家の演説は、１５分間行われてもよい。その後で、特定のストリーミング式対象番組３０２は最初に、午後８時（最初に予定された録画開始時刻３０４）に予定される場合、午後９時（最初に予定された終了時刻３０６）に終了する場合、１５分間によるストリーミング式対象番組３０２は午後９時に終了する。すなわち、政治家の演説によって生じた遅延のために、対象番組３０２は、午後８時１５分（更新録画開始時刻６０２）に開始して、９時１５分（更新録画終了時刻６０４）に終了するように、再予定される。ゆえに、番組録画予定システム１００は、ストリーミング式対象番組３０２全体が録画されるように、更新録画開始時刻６０２に（午後８時１５分に）録画を開始し、更新録画終了時刻６０４に（午後９時１５分に）録画を終了する。
【００６１】
図７は、番組録画予定システム１００の実施形態によって受信された番組ストリーム７０２を概念的に説明している。番組ストリーム７０２は、ビデオストリーム７０４、対応するオーディオストリーム７０６、対応するメタデータストリーム７０８、及び、対応するクローズドキャプションストリーム７１０を含む。ビデオストリーム７０４は、それぞれが番組の特定画像を有する複数の連続的にシーケンスされたビデオフレーム７１２から構成される。ビデオフレーム７１２は、動画を作成するように連続的に表示される。オーディオストリーム７０６は、音声、音楽、及び、背景音を含んでもよい。オーディオストリーム７０６は、動画と同時に対応したオーディオストリーム７０６の、音声、音楽、及び、背景音等のビデオフレーム７１２にシーケンスされる。メタデータストリーム７０８は、他の対象情報を含む。
【００６２】
クローズドキャプションストリーム７１０も、番組ストリーム７０２の一部として概念的に説明される。クローズドキャプションストリーム７１０は、一般に、オーディオストリーム７０６の言語テキスト表示である。テキスト表示は、難聴の視聴者のために、又は、バー又は類似の場所等の比較的大きな騒音レベルの場所にいる視聴者のために提供される。クローズドキャプションストリーム７１０の言葉は、一般に、オーディオストリーム７０６の話し言葉に対応するようにシーケンスされる。
【００６３】
番組録画予定システム１００の代表的な実施形態において、複数のＵＰＦ７１４は、予め画定された間隔において、ビデオストリーム１０４、対応するオーディオストリーム７０６、対応するメタデータストリーム７０８、及び／又は、対応するクローズドキャプションストリーム７１０の少なくとも１つに埋め込まれる。表示された番組ストリーム７０２におけるＵＰＦ７１４の検出に応答して、番組録画システム１００は、ストリーミング式対象番組３０２が利用可能になるときに録画されるように、録画開始時刻及び録画終了時刻を再画定する。
【００６４】
ここで、予定外番組４０２は、時刻４０４に、第１のビデオフレーム７１２ａ（及び、オーディオストリーム７０６における関連したオーディオ情報、メタデータストリーム７０８における関連したメタデータ、及び／又は、クローズドキャプションストリーム７１０における関連したクローズドキャプション情報）を開始する。第１のＵＰＦ７１４ａは、番組録画予定システム１００の代表的な実施形態によって、クローズドキャプションストリーム７１０に挿入される。第１のＵＰＦ７１４ａ（及び、後続のＵＰＦ７１４）は、メディアデバイス１０８（図１及び図２）における受信に先行して、生成されるとともに、番組ストリーム７０２に挿入される。
【００６５】
第１のＵＰＦ７１４ａを検出した上で、実施形態に応じて、ストリーミング式対象番組３０２は停止されてもよく、録画は、予定外番組４０２を録画するように継続してもよく、又は、マーカ又は類似のものは、予定外番組４０２の始まりを示すように録画に挿入されてもよい。
【００６６】
予定外番組４０２は、期間４０６の間継続して、時刻４０８に終了する。予定外番組４０２の間、ＵＰＦ７１４の周期的連続が、番組ストリーム７０２に挿入される。従って、視聴者は、予定外番組４０２が表示されているチャネルに合わせる場合、番組録画予定システム１００は、予定外番組４０２がこのときストリーミング式対象番組３０２に割り込んでいることを理解する。従って、視聴者が、ストリーミング式対象番組３０２（又は、ストリーミング式対象番組３０２の残りの部分）を録画することを願う場合、番組録画予定システム１００は、予定外番組４０２を割り込む視聴において録画開始時刻及び終了時刻を適切に調整する。
【００６７】
予定外番組４０２の間、挿入されたＵＰＦ７１４は、予定外番組４０２の現在の期間４０６が決定可能であるように、限定されるものではないが、予定外番組４０２の開始時刻４０４及び現在時刻又は類似の情報を含む様々な情報を含んでもよい。
【００６８】
予定外番組４０２は、時刻４０８に、最後のビデオフレーム７１２ｂで終了する。時刻４０８に予定外番組４０２が完了した上で、ＵＰＦ７１４ｂは、予定外番組４０２の終了を示すために番組ストリーム７０２に挿入される。ＵＰＦ７１４ｂを検出した上で、実施形態に応じて、ストリーミング式対象番組３０２の録画は、再開始されてもよく、録画は、ストリーミング式対象番組３０２の第２の部分３０２ｂを録画するように継続してもよく、又は、マーカ又は類似のものは、予定外番組４０２の終了を示すように録画に挿入されてもよい。
【００６９】
予定外番組４０２の完了後、番組録画予定システム１００の実施形態は、番組ストリーム７０２にＵＰＦ７１６を周期的に挿入し続ける。例えば、ＵＰＦ７１６ａは、ＵＰＦ７１４ｂの後に続く。ＵＰＦ７１６は、予定外番組４０２が、後続番組の利用可能性における遅延を引き起こしたことを示す。ゆえに、視聴者が対象番組が録画されることをリクエストするとき、最初に予定された開始時刻及び終了時刻は、更新録画開始時刻６０２及び更新録画終了時刻６０４（図６）に調整されることができる。
【００７０】
いくつかの時点において、後に予定された番組編成が最初に予定された時刻まで戻されるように、スケジューリング調整が生じる。例えば、予定外番組４０２の期間が１時間である場合、１時間の期間を持つ番組は、キャンセルされる。ゆえに、キャンセルされた番組の後の番組は、予定時刻に利用可能である。好ましくは、調整は、（朝の非常に早い時間等）ピークでない視聴時間に、又は関心の低い番組が予定されているときに生じる。
【００７１】
代替的な実施形態において、ＵＰＦ７１４、７１６は、ビデオストリーム７０４、オーディオストリーム７０６、メタデータストリーム７０８、及び／又は、クローズドキャプションストリーム７１０の１つ又は複数に挿入され、埋め込まれ、又は、含まれてもよい。例えば、ＵＰＦ７１４、７１６は、限定されるものではないが、ＰＡＴ（番組関連表）、ＰＭＴ（番組マップ表）、ＣＡＴ（コンディショナルアクセス表）、ＴＳＤＴ（トランスポートストリーム記述表）、及び／又は、プライベートセクション等のＭＰＥＧ  ＰＳＩ（番組固有情報）表内にあってもよい。ＵＰＦ７１４，７１６は、限定されるものではないが、ＳＴＴ（システム時刻表）、ＲＲＴ（領域割合表）、ＤＣＣＴ（方向付けられたチャンネル変更表）、ＭＧＴ（マスターガイド表）、ＤＣＣＳＣＴ（方向付けられたチャネル変更選択コード表）、ＥＴＴ（拡張テキスト表）、ＥＩＴ（イベント情報表）、ＣＶＣＴ（ケーブル仮想チャネル表）、及び／又は、ＴＶＣＴ（地上仮想チャンネル表）等のＡＳＴＣ（高度テレビシステム委員会）、ＰＳＩＰ（番組及びシステム情報プロトコル）表内にあってもよい。ＵＰＦ７１４、７１６は、限定されるものではないが、ＮＩＴ（ネットワーク情報表）、ＳＤＴ（サービス記述テーブル）、ＥＩＴ（イベント情報表）、ＢＡＴ（ブーケ関連表）、ＳＩＴ（選択情報表）、ＲＳＴ（実行ステイタス表）、ＴＯＴ（時刻オフセット表）、及び／又は、ＴＤＴ（時刻及び日付表）等のＤＶＢ（デジタルビデオ放送）ＳＩ（サービス情報）表内にあってもよい。他の実施形態において、ＵＰＦ７１４、７１６は、別々の情報伝送等による他の方法でメディアデバイス１０８に通信されてもよい。
【００７２】
番組録画予定システム１００の上述の実施形態は、本発明の実装の単なる可能な実施例であることが強調されるべきである。多くの変形及び変更は、上述の実施形態に行われてもよい。全てのそのような変更及び変形は、本開示の範囲内で本明細書に含まれることが意図され、かつ、以下の請求項によって保護される。
【図１】
0005540453.tif 000002
【図２】
0005540453.tif 000003
【図３】
0005540453.tif 000004
【図４】
0005540453.tif 000005
【図５】
0005540453.tif 000006
【図６】
0005540453.tif 000007
【図７】
0005540453.tif 000008